(57)【要約】  磁石を用いて構成するブロック及び玩具において、上板２と下板３の４方向の各縁部に上下内向きに挿止孔６と中空部７を連通するように形成し、前記各中空部７にはボール磁石８を遊挿した後、４本の支柱の上下端にそれぞれ突出した突起５を前記挿止孔に嵌め込んで組み立てて構成し、且つ、上板２０と下板３０及び支柱４０、４１、４２、４３の内向きに突設した突起２１、２２、２３、２４、２５、２６、２７、２８を各レール９、９'、１１、１１'、９ａ、９ｂ、１１ａ、１１ｂの挿止溝２３'、２４'、２７'、２８'と２３ａ、２３ｂ、２８ａ、１８ｂに嵌め込んで組み立ててそれぞれ形成したブロック１、１'、１''、１'''を互いに接続して組み立て玩具として用いるか、ブロック１、１０、５０を任意の数だけ積み重ねて組み立てた後に、球状ボール８ａがレールの上を転がる流れを観察する玩具兼用教具として構成することを特徴とする磁石が内蔵された組み立て式玩具ブロック。
2013518613.tif 000002
【特許請求の範囲】
【請求項１】
磁石を用いて構成するブロック及び玩具において、
上板（２）と下板（３）の４方向の各縁部に上下内向きに挿止孔（６）と中空部（７）を形成し、前記各中空部（７）にはボール磁石（８）が遊挿された後、４本の支柱（４）（４'）（４''）（４'''）の上下端にそれぞれ突出した突起（５）を前記挿止孔に嵌め込んで各面が正方形をなすブロックとして組み立てられることを特徴とする磁石が内蔵された組み立て式玩具ブロック。
【請求項２】
上板（２０）と下板（３０）の内向きに上板内向き突起（２１、２２、２３、２４）を形成し、支柱（４０）（４１）（４２）（４３）の内向きにそれぞれ上下突起（２５、２６、２７、２８）と（２５'、２６'、２７、２８'）を形成して、小型レール（９、９'）と曲線レール（１１、１１'）及び直線レール（９ａ、９ｂ、１１ａ、１１ｂ）の外向き面に形成した各レール挿止溝（２３'、２４'、２７'、２８'）、（２３ａ、２３ｂ、２８ａ、２８ｂ）を嵌め込んで組み立てたブロック（１０、７０）を任意の数だけ種々に積み重ねて組み合わせて種々の形状に変形して組み立てて楽しめるようにすることを特徴とする磁石が内蔵された組み立て式玩具ブロック。
【発明の詳細な説明】
【技術分野】
【０００１】
本発明は正六面体の骨格状に組み立てられてなるブロック内にボール軸受け状のボール磁石をブロックの上下板の各縁部に内蔵して縁部に内蔵された磁石がブロック間の接合時に発生する磁石間の極性を回転して克服できるようにし、ボール磁石の遊動を透視することもでき、立体的な種々のブロック積みと分解を行いながら子供の創意性の開発と知能の発達を補助できるようにした磁石が内蔵された組み立て式玩具ブロックに関する。
【背景技術】
【０００２】
通常は、大韓民国特許第１０−０４３０８５４号の組み立て式ブロック玩具セットと、大韓民国特許第１０-０４９６１２９号の組み立て式玩具と、大韓民国特許第１０−０４５７３０５号の回転型磁石接合装置及びこれを備えた組み立て式玩具が公知され、かつ、大韓民国特許第２０−３７５１３４号の磁石付きブロックセットと、大韓民国特許第２０−０２６５６３３号の乳児用の組み立て学習教具などが登録されている。
【０００３】
上記の構成について詳述すると、先ず、第一に、組み立て式ブロック玩具セット（大韓民国特許第１０−４３０８５４号）は、互いに対応する接合面に突き当てられてその接合面に設けられた凹凸構造及び反対極性磁石の引力によって分離可能に組み立てられる複数の単位ブロック、複数のブロックリンク、ブロック車輪から構成される組み立て式ブロック玩具セットであって、相互の間の結合力がよくて乳児や子供などが楽しむことを可能にした構成である。
【０００４】
第二に、組み立て式玩具（大韓民国特許第１０−４９６１２９号）は、他の部品の接合面と接合可能に接合面が備えられた多面体形状の複数の部品によって構成されるものであって、接合面に磁石部が形成された部品を備え、その部品の磁石部と他の部品の接合面の磁石部との磁力によって組み立てられる玩具であって、多面体そのものに磁石を各面に多数ずつを固定して挿着したものである。
【０００５】
第三に、回転型磁石接合装置及びこれを備えた組み立て式玩具（大韓民国特許第１０−４５７３０５号）は、請求の範囲を８５項まで拡大したが、上記の組み立て式玩具とほとんど同じ構成になっているが、磁石をボール軸受け状に形成したという点で少し相違点がある。
【０００６】
第四に、磁石付きブロックセット（大韓民国特許第２０−３７５１３４号）は、その構成として、一方の領域に磁石が取り付けられており、所定の幅を有する環状の一つのブロックユニットを備えることを特徴とするものである。
【０００７】
第五に、乳児用組み立て学習教具（大韓民国特許第２０−２６５６３３号）は、所定の幅と大きさを有する完成された形状物体において一定の比率にて多数に分離される分離胴体と、前記分離胴体の外側部の所定の位置に設けられてそれぞれの分離胴体の組み合わせ時に互いに固定された状態を維持する結合手段と、から構成されるので、規則的な比率にて多数に等分された分離胴体を用いて組み合わせ構成によって設定された胴体を結合する過程で知的好奇心及び知能開発を発達できるように六面体の各面に磁石を挿着してなるものであって、上記の従来の構成は、いずれも、さいころのように一つの胴体の各面に磁石を固定して挿着したり、ボール状の磁石を挿着して形成したものであって、磁石を固定された位置にはめ込んだり埋め込んで外部からは見えない磁石の磁力によって接合されて形状を備えるようにしたのがこれまでの磁石を用いた玩具や教具の全部であった。
【発明の概要】
【発明が解決しようとする課題】
【０００８】
本発明は磁石を用いた従来の各種の玩具や教具とは異なり、六面体の形状に形成される上板と下板を各４本の支柱により組み立てた正六面体のブロック上下板の各縁に遊挿するボール軸受け状の球状磁石を８個ずつ挿入した後、ブロック間の接合（接続）時に発生する磁石間の極性を克服できるようにして立体的な種々の球状磁石による接合によりブロック玩具を所望の形状に組み立てるようにし、且つ、ブロックを構成する上下板と支柱の内向きに突起を突出させて小型レールと曲線レールに形成された挿止溝に嵌め込んで組み立てたブロックとブロックとの接合過程で球状磁石が極性によって転がる流れを観察するようにし、種々の形状に組み立てと積み重ねが行えるようにして、玩具としてだけではなく、乳児及び子供の知能開発と創意力の発達を補助できるようにすることを目的とする。
【課題を解決するための手段】
【０００９】
上記の目的を達成するためには、先ず、六面体の上板と下板の４方向の各縁部の内向き上下面にそれぞれ挿止孔を形成するが、前記挿止孔の下端には中空部を形成する。すなわち、前記中空部にはボール磁石（球状磁石）をそれぞれ遊挿（可動に嵌めこみ）し、上下端部にそれぞれ突起を突出させた４本の支柱を上下板の各縁部に形成した挿止孔に嵌め込んで組み立てると、正六面体のブロックが完成される、
【００１０】
ここで、各支柱の上下端部の突起は、上下板の各縁に形成された挿止孔にはめ込むと引き抜かれないように強固に密着され、それが不完全である場合には接着剤を用いて引き抜かれないように接着し、前記突起は挿止孔にはめ込まれたときに、挿止孔に遊挿した球状磁石が自由に遊動できるようにし、突き当たって遊動を妨げないようにする。
【００１１】
また、本発明のブロックを構成するに当たって、六面体の上下板と各支柱の内向きに多数の突起を突設し、前記各レールの小型レール、曲線レール、直線レールの外向き面の両端に形成した挿止溝を前記各突起に嵌め込んで強固に組み立てた３種類のブロックにより、積み重ねと連結組み立てなどにより形成してブロックとブロックを接合するために接続するときに、ボール磁石が極性によって遊動しながら、回転様子を透視することができ、直線レールを結合したブロックと曲線レールを結合したブロックなど３種類を適宜に組み立てて連結して球状ボールまたは磁石ボールを挿入してレール内で転がる状態を観察しながら楽しめるように形成されている。
【００１２】
このようにして構成された本発明のブロックは、正六面体の形状を形成することから、ブロックとブロックを接合する際にボール磁石の極性と極性が当接するように接続されるので、接続時にボール磁石が中空部内において自由に極性と極性が合うように回転して接合が行われ、特に、小型レール、曲線レール、直線レールを結合したブロックとの連結組み立てによりブロックとブロックの磁石が転がる様子を興味深く観察することができて子供の知能開発と創意性の発達に役立つ効果的なものである。
【図面の簡単な説明】
【００１３】
【図１】図１は、本発明の六面体の上下端の間に支柱を挟みこんで組み立てた斜視図である。
【図２】図２は、本発明の上下板の間に支柱を挟み込む前の状態を例示する斜視図である。
【図３】図３は、本発明による組み立て済みのブロックとブロックを前面、左側、上面などにおいて接合した状態を例示する斜視図であり、点線はボール磁石を示す。
【図４】図４は、本発明の下板（上板も同様）の１つ縁に挿止孔が形成され、点線はボール磁石が遊挿されている中空部を示す一部の拡大斜視図である。
【図５】図５は、本発明の下板の挿止孔下の中空部にボール磁石を嵌めこみ、支柱を組み立てた状態の拡大断面例示図である。
【図６】図６は、本発明のブロックに突起が突設されたブロックを組み立てる状態を示す斜視図である。
【図７】図７は、本発明の図６のブロックの突起に嵌め込んで組み立てるために形成されるレールの斜視図である。
【図８】図８は、本発明によるレールを組み立てた状態を示すブロック斜視図である。
【図９】図９は、本発明によるブロックに組み付けられる直線レールを示す斜視図である。
【図１０】図１０は、本発明によるブロックに直線レールを嵌め込んで球状ボールがレールに位置して転がるようにした状態を示す図である。
【図１１】図１１は、本発明を組み立てて使用する状態を示す側面図である。
【図１２】図１２は、本発明を組み立てて使用する状態を示す平面図である。
【図１３】図１３は、本発明を組み立てて使用する状態を示す斜視図である。
【発明を実施するための形態】
【００１４】
本発明の構成は、六面体の上板２と下板３の各内向き面の各縁部には挿止孔６を穿孔し、前記挿止孔６の下には中空部７を形成してボール磁石８（球状磁石）を遊挿できるようにする。次には、４本の支柱４、４'、４''、４'''の各上下端面には突起５を突出させ、前記突起は前記挿止孔６に嵌め込んで組み立てるが、前記４本の支柱の上下端部に突出された突起５を前記上下板２、３の各縁の挿止孔６に嵌め込んで組み立て、組み立てる前にボール磁石８を各中空部７に遊挿した後に嵌め込んで組み立てる。
【００１５】
このとき、各支柱の上下端に突出された突起５が各挿止孔６にはめ込まれるときに、ボール磁石８に突き当たって遊動に邪魔にならないように組み立てられ、ボール磁石８が中空部７内において自由に遊動されることに邪魔にならないように形成される。このようにして組み立てられると、図１に示す状態となり、使用時には、図３の例示図に示すように、ブロック１の下にブロック１''を接続し、ブロック１''の左側と前面にブロックとブロック１''を接続すると、各縁の中空部７にはめ込まれたボール磁石８の極性と極性が合うように遊動されながら、ブロック同士が接合されて子供が作成しようとする形状に組み立てることができる。
【００１６】
また、図６乃至図１３に示されたように、上板２０と下板３０及び４本の支柱４０、４１、４２、４３の内向き面にそれぞれ各突起２１、２２、２３、２４、２５、２６、２７、２８を突設し、前記それぞれの突起に各レールに形成された挿止溝を嵌め込んで組み立ててブロックを形成する。
【００１７】
図７に示す小型レール９、９'と下部レール１１、１１'は、図６及び図８に示すブロック１０を構成するために用いられるものであり、前記図６に示すように、上板２０と下板３０の各挿止孔６０に両側の支柱４０、４１、４２、４３の上下突起５０を嵌め込んで組み立てた後、小型レール９、９'の両側のレール挿止溝２４'は前記上板２０の内向き突起２１、２４にそれぞれ嵌めこまれ、前記小型レール９、９'のレール挿止溝２７'は支柱４０、４１の上部内向き突起２５、２７に嵌め込んで組み立てられ、下部レール１１、１１'の各上部両側のレール溝２３'は前記上板２０の内向き突起２２、２３に嵌めこまれており、下部レール挿止溝２８'は支柱４０、４１の下部内向き突起２６、２８にはめ込んで組み立てられると、図８の斜視図のように組み立てられる。
【００１８】
また、図９に示す直線レール９ａ、９ｂ、１１ａ、１１ｂは、それぞれ両端の外向きにレール挿止溝２３ａ、２３ｂ、２８ａ、２８ｂを形成し、図６の例示図に基づいて説明すると、直線レール９ａ、１１ｂの両側の外向き面の挿止溝２３ａ、２３ｂ、２８ａ、２８ｂは、支柱４０、４３の上下内向き突起２５、２５'、２６、２６'に嵌め込んで組み立てられ、直線レール９ｂ、１１ａの上下外向き挿止溝２３ａ、２３ｂ、２８ａ、２８ｂは支柱４１、４２の内向き突起２７、２７'、２８、２８'に嵌め込んで組み立てられると、図１０の正面図のように組み立てられている。
【００１９】
このようにして組み立てられたブロック１、１０、７０は、上述したように、図３に示すように組み立てることもできるが、前記ブロック１、１０、７０を適切に混合して、図１１の側面図、図１２の平面図、図１３の斜視図のように組み立てることができ、これらの他にも種々の形状に変形して組み立てと積み重ねを行うことができるが、図１０や図１１乃至図１３に使用状態を示した図のように組み立てた後、レール９、９'、１１、１１'、９ａ、９ｂ、１１ａ、１１ｂの上にボール磁石または球状ボール８ａが転がるようにして種々の遊戯の玩具またたは教具として活用することができる。
【００２０】
このように、本発明は、ブロックの直線レール、曲線レール、両方向分離レール、４方向分離レール、受け台などとして種々に構成することができ、それぞれのブロックに組み付けられたレールの構造は、ブロック間の接合時にボール磁石路が４方向の全面において繋がるように構成され、ボール磁石の位置はブロック間の接合時に各面において接合できるように８個の縁部に各１つずつが内蔵され、他のブロックとの接合時に極性の克服のために自由に転がって接合される。
【符号の説明】
【００２１】
１、１'、１''、１'''、１０：ブロック
２、２０：上板
３、３０：下板
４、４'、４''、４'''、４０、４１、４２、４３：支柱
５、５０：上下突起
６、６０：挿止孔、
７：中空部（遊挿溝）
８：ボール磁石（球状磁石）
８ａ：球状ボール（球状磁石）
９、９'：小型レール
１１、１１'：下部レール（曲線レール）
９ａ、９ｂ、１１ａ、１１ｂ：上下直線レール
２１、２２、２３、２４：上板内向き突起
２５、２６、２７、２８、２５'、２６'、２７'、２８'：支柱内向き突起
２３'、２４'、２７'、２８'、２３ａ、２３ｂ、２８ａ、２８ｂ'：レール挿止溝
【図１】
2013518613.tif 000003
【図２】
2013518613.tif 000004
【図３】
2013518613.tif 000005
【図４】
2013518613.tif 000006
【図５】
2013518613.tif 000007
【図６】
2013518613.tif 000008
【図７】
2013518613.tif 000009
【図８】
2013518613.tif 000010
【図９】
2013518613.tif 000011
【図１０】
2013518613.tif 000012
【図１１】
2013518613.tif 000013
【図１２】
2013518613.tif 000014
【図１３】
2013518613.tif 000015
【国際調査報告】
2013518613.tif 000016
2013518613.tif 000017
2013518613.tif 000018
2013518613.tif 000019
2013518613.tif 000020
2013518613.tif 000021